(57)【特許請求の範囲】
【請求項１】
認証対象者識別用に異なるコードを割り振られた複数人の生体情報をコード検索可能に予め登録した記憶手段と、認証対象者識別用のコードと顔画像を含んだ登録画像とを表示した情報担体を撮像可能な状態で保持している認証対象者を前記情報担体と共に撮るための撮像装置と、その画像から認証対象者識別用のコードを読み取って前記記憶手段をコード検索しそれで得た生体情報を照合対象の登録情報とする手段と、前記画像のうち前記情報担体に該当する領域から顔の情報を含んだ生体情報を抽出して第１現時情報とする手段と、前記画像のうち前記情報担体に該当しない領域から顔の情報を含んだ生体情報を抽出して第２現時情報とする手段と、前記第１現時情報と前記登録情報との照合に加えてそのときより判別の閾値を下げた前記第２現時情報と前記登録情報との照合も行うことにより前記認証対象者に対する認証を行う手段とを備えている個人認証システム。
【発明の詳細な説明】
【技術分野】
【０００１】
この発明は、病棟等への入室管理や調剤管理コンピュータ等へのログイン管理などに適した個人認証システムに関し、詳しくは、コード情報と生体情報とを撮像して個人を特定する個人認証システムに関する。
【背景技術】
【０００２】
コンピュータやネットワークといったシステムへのログイン時に、ユーザの顔画像を撮影して顔特徴データを求め、その現時取得データと予め記憶しておいた登録データとを照合することにより、ログインを自動化して、ユーザによるＩＤやパスワードの入力動作を不要としたものがある（例えば特許文献１参照）。
また、代理人認証システムや医療情報管理システムへのログイン時に撮像して得たログイン試行ユーザの顔画像と予め記憶しておいた登録ユーザの顔画像とを照合して認証することに加えて、ログイン時やデータアクセス時に顔画像を取り込んで履歴として保存するようになったものもある（例えば特許文献２，３参照）。
【０００３】
さらに、カード形の認証用記録物に印刷されるカード所有者の顔画像に暗号キーのバーコードを重畳記録することにより、認証用画像のすげ替え等によるカード偽造・改ざんを発見できるようになったものもある（例えば特許文献４参照）。
また、医療・調剤の分野では、施用対象の患者を確認して医療事故の発生を未然に防止するために、薬袋特定用のバーコードや患者特定用の文字情報に加えて患者視認用の上半身画像を薬袋に印刷記録するようになったものがある（例えば特許文献５参照）。
【０００４】
また、入退室管理用の個人認証システムでは、証明書に被認証人物の顔画像と被認証人物の生体情報や識別情報のコード化データとを印刷等で記憶させておき、その証明書を胸等に付した被認証人物の入退室時には、被認証人物の顔と一緒に証明書も撮って、被認証人物の現在の顔画像から抽出した生体情報と証明書のコード化データから読み出した生体情報とを比較することにより、被認証人物の生体情報を予め多数蓄積しておかなくても個人認証が行えるようになったものがある（例えば特許文献６参照）。
【０００５】
また、複数人の入室希望者の顔画像を同時に撮って全員の顔画像を抽出し、それらの抽出顔画像すべてについて登録顔画像と照合することにより、複数人を同時に顔認証するようになったものもある（例えば特許文献７参照）。
また、契約者の署名行為の最中に署名情報と顔画像を取得して、署名照合に加えて顔画像照合も行うことにより、本人認証用の登録やその後の本人認証を違和感無く行えるようになったものがある（例えば特許文献８参照）。
【０００６】
また、コード印刷を利用した薬品管理システムでは、処方箋情報等に応じてトレーにおける薬品類の配置を決定するとともに、その配置に対応した配置で薬品類の識別コードを印刷用紙に印刷するようになったものがある（例えば特許文献９参照）。
このシステムでは、識別コードに、色の配列で符号化情報を表すカラービットコード（１Ｄや１．５Ｄのカラービットコードと呼ばれたりリフレクティブカラーコードと呼ばれることもある）が採用されている（例えば特開２００８−２８２１０４号公報や，特開２００９−８７１９２号公報，特許４４０４２２４号公報を参照、特開２００９−０２０８１３号公報も参照）。
【先行技術文献】
【特許文献】
【０００７】
【特許文献１】特開２００３−０６７３３９号公報
【特許文献２】特開２００５−１１５５２２号公報
【特許文献３】特開２００７−３０４８２３号公報
【特許文献４】特開平１１−７３５０４号公報
【特許文献５】特開２００２−１１９５７６号公報
【特許文献６】特開２００７−１５６８１３号公報
【特許文献７】特開２００９−１９９２２３号公報
【特許文献８】特開２０１０−１８２２７１号公報
【特許文献９】特開２０１１−０２４６６３号公報
【発明の概要】
【発明が解決しようとする課題】
【０００８】
このような個人認証システム等のうち、顔画像認証タイプのものは、ほとんどのシステムが、認証対象者（被認証者）になりうる者の顔画像を含んだ画像に係る生体情報を予め登録しておき、認証時には、カメラで撮った画像から認証対象者の生体情報を抽出して、この現時情報と上述の登録情報とを照合することにより、個人を特定するようになっている（例えば特許文献１，２，３，７，８参照）。
この顔画像認証タイプのものは、認証用カードの不正使用防止機能などには優れるが、顔の向きや表情等の影響を受ける現時情報の取得に処理時間を要するうえ登録数の増加とともに照合時間も増すためシステムにかかる負荷が重い。
【０００９】
これに対し、コード認証タイプのものは、予め認証対象者の識別情報や生体情報をバーコード等で符号化してカード等の情報担体に印刷等で記録しておき、認証時には、リーダやカメラで情報担体からコードを読み取り、それから、読み取ったコードを単に復号して使用したり（例えば特許文献５参照）、暗号を解いてから使用したり（例えば特許文献４参照）、読み取ったコードから得た生体情報とカメラで撮って得た認証対象者の現時の生体情報とを照合するようになっている（例えば特許文献６参照）。
【００１０】
このコード認証タイプのものは、生体情報の登録蓄積が不要なことから、登録数の増加による照合時間の増大が無いのでシステム負荷は軽いが、暗号使用方式は情報担体の偽造の検出には優れていても情報担体の盗用の検出能力はそれほどでもなく、生体情報使用方式は情報担体の盗用の検出には優れていても情報担体の偽造の検出能力はそれほどでもなく、情報担体の盗用および偽造には登録蓄積方式より弱いと言わざるを得ない。
また、カード等の情報担体を用いるコード認証タイプでは、情報担体に認証対象者の顔画像が印刷されていることが多いが、その顔画像は目視確認にしか用いられていない。
【００１１】
このように従来の顔画像認証タイプの個人認証システムとコード認証タイプの個人認証システムには一長一短がある。
そこで、両タイプの長所を合わせ持った個人認証システム、具体的には認証用の情報担体の不正使用の検出に優れているうえ認証対象者の登録数が増加してもその割には照合時間の増えない個人認証システムを実現することが、基本的な技術課題となる。
また、情報担体に表示されている認証対象者の顔画像を有効に利用することにより、情報担体の不正使用防止機能をより一層強化することが、更なる技術課題となる。
【課題を解決するための手段】
【００１２】
本発明の個人認証システムは（解決手段１）、上述の基本的な技術課題を解決するために創案されたものであり、認証対象者識別用に異なるコードを割り振られた複数人の生体情報をコード検索可能に予め登録した記憶手段と、認証対象者識別用のコードを表示した情報担体を撮像可能な状態で保持している認証対象者を前記情報担体と共に撮るための撮像装置と、その画像から認証対象者識別用のコードを読み取って前記記憶手段をコード検索しそれで得た生体情報を照合対象の登録情報とする手段と、前記画像から顔の情報を含んだ生体情報を抽出して現時情報とする手段と、前記現時情報と前記登録情報とを照合することにより前記認証対象者に対する認証を行う手段とを備えている。
【００１３】
また、本発明の個人認証システムは（解決手段２）、上述した基本的な技術課題に加えて更なる技術課題をも解決するために創案されたものであり、認証対象者識別用に異なるコードを割り振られた複数人の生体情報をコード検索可能に予め登録した記憶手段と、認証対象者識別用のコードと顔画像を含んだ登録画像とを表示した情報担体を撮像可能な状態で保持している認証対象者を前記情報担体と共に撮るための撮像装置と、その画像から認証対象者識別用のコードを読み取って前記記憶手段をコード検索しそれで得た生体情報を照合対象の登録情報とする手段と、前記画像のうち前記情報担体に該当する領域から顔の情報を含んだ生体情報を抽出して第１現時情報とする手段と、前記画像のうち前記情報担体に該当しない領域から顔の情報を含んだ生体情報を抽出して第２現時情報とする手段と、前記第１現時情報と前記登録情報との照合に加えて前記第２現時情報と前記登録情報との照合も行うことにより前記認証対象者に対する認証を行う手段とを備えている。
【発明の効果】
【００１４】
このような本発明の個人認証システムにあっては（解決手段１）、認証対象者と一緒に情報担体も撮られて、その画像から認証対象者識別用のコードが読み取られ、そのコードを用いてコード検索が行われて、登録データから照合対象の生体情報が抽出されるので、生体情報が多数登録されていても、速やかに照合対象の登録情報が得られる。
また、同じ画像から認証対象者の顔の情報を含んだ生体情報が抽出されて現時情報とされ、それから、それらの現時情報と登録情報とが照合され、その照合結果に基づいて認証対象者に対する認証が行われる。
【００１５】
そのため、認証用情報担体の不正使用防止機能が顔画像認証タイプの個人認証システムと同程度に優れている個人認証が、コード認証タイプの個人認証システムと同程度に軽いシステム負荷で迅速に実行されることとなる。
したがって、この発明によれば、認証用の情報担体の不正使用の検出に優れているうえ認証対象者の登録数が増加してもその割には照合時間の増えない個人認証システムを実現することができる。
【００１６】
また、本発明の個人認証システムにあっては（解決手段２）、上述したようにコードの読取と検索によって照合対象の登録情報が速やかに取得される。また、同じ画像から認証対象者の登録時の顔画像の情報を含んだ生体情報が抽出されて第１現時情報とされて、それら第１現時情報と登録情報とが照合されるとともに、やはり同じ画像から認証対象者の生の顔の情報を含んだ生体情報が抽出されて第２現時情報とされて、それら第２現時情報と登録情報も照合され、両照合結果に基づいて認証対象者に対する認証が行われる。
【００１７】
そのため、認証用情報担体の不正使用防止機能が顔画像認証タイプの個人認証システムと同程度に優れている個人認証が、コード認証タイプの個人認証システムと同程度に軽いシステム負荷で迅速に実行されることに加えて、生の顔に係る生体情報の照合によって情報担体の盗用に対する検出能力が確保されるとともに、変形の少ない登録時の顔画像に係る生体情報の照合によって情報担体の偽造に対する検出能力が高められることとなる。
したがって、この発明によれば、情報担体に表示されている認証対象者の顔画像を有効に利用して情報担体の不正使用防止機能をより一層強化した個人認証システムを実現することができる。
【図面の簡単な説明】
【００１８】
【図１】本発明の実施例１について、個人認証システムの構造等を示し、（ａ）が情報担体の情報表示面、（ｂ）が認証対象者、（ｃ）が個人認証システム設置先の建家の縦断面図、（ｄ）が認証対象者の画像例、（ｅ）が個人認証システムのブロック図である。
【図２】認証処理の内容を示すフローチャートである。
【発明を実施するための形態】
【００１９】
このような本発明の個人認証システムについて、これを実施するための具体的な形態を、以下の実施例１により説明する。
図１〜２に示した実施例１は、上述した解決手段１〜２（出願当初の請求項１〜２）を総て具現化したものである。
【実施例１】
【００２０】
本発明の個人認証システムの実施例１について、その具体的な構成を、図面を引用して説明する。図１は、（ａ）が情報担体１０の情報表示面、（ｂ）が認証対象者２０、（ｃ）が個人認証システム４０の設置先の建家の縦断面図、（ｄ）が情報担体１０と一緒に認証対象者２０を撮った認証処理対象画像３０の例、（ｅ）が個人認証システム４０のブロック図である。また、図２は、認証処理装置４１の認証プログラムによる処理内容を示すフローチャートである。
【００２１】
個人認証システム４０の構成説明に先立って、個人認証システム４０で使用される情報担体１０と、個人認証システム４０の設置状況を説明する。
情報担体１０は（図１（ａ）参照）、撮像可能な情報を表示でき且つ認証対象者２０が情報表示面を撮像可能にした状態で保持しうるようなものであれば良く、例えば単純な長方形のプラスチックカードでも良くあるいは磁気カードやＩＣカードを兼ねるものでも良く、図示の例では、情報表示面に登録画像欄１１と文字欄１２と署名欄１３とコード欄１４が設けられているが、このうち重要なのは登録画像欄１１とコード欄１４である。
【００２２】
登録画像欄１１には、認証対象者２０の顔や上半身などを撮った写真が貼り付けられたり、そのような顔画像を含んだ画像が印刷されている。なお、登録画像欄１１に記された画像は、登録画像として、後述する登録データベース４２にも登録されている。
文字欄１２には、情報担体１０を使用する認証対象者２０の所属や氏名などが目視読取可能な文字で印刷されている。
署名欄１３には、情報担体１０を使用する認証対象者２０の自筆による署名が記されている。
【００２３】
コード欄１４には、情報担体１０を使用する認証対象者２０に予め割り振られた認証対象者識別用のコードが表示されている。コードは、複数・多数の認証対象者２０に対して各人を識別可能なように予め異なるコードが割り振られており、コード検索時に検索キーとして使い易い識別番号に冗長データを付加したもの等が採用され、変形しても読み取り易く一画像内から複数個を読み取ることもできるカラービットコードで印刷されている。
このような情報担体１０は、認証対象者２０がそれぞれ対応する情報担体１０を使用する際に情報表示面を前に向けて胸等に着けたり首から吊り下げたりすることで、撮像可能な状態で保持されるものとなっている（図１（ｂ）参照）。
【００２４】
この個人認証システム４０の適用先は、入退室管理の行われている例えば病棟や調剤室などの内外であり（図１（ｃ）参照）、室外２１では出入口２２のところにカラーの撮像装置２３が設置されていて、入室者が出入口２２から入室しようとすると、入室者の顔や上半身が撮像装置２３で撮られ、その画像が入退室管理装置２４に取り込まれるようになっている。また、室内２５では、やはりカラーの撮像装置２６が例えば調剤管理用や調剤制御用のログイン管理装置２７に装備されていて、ログイン管理装置２７を使おうとする者がログイン操作を行うと、操作者の顔や上半身が撮像装置２６で撮られ、その画像がログイン管理装置２７に取り込まれるようになっている。
【００２５】
撮像装置２３や撮像装置２６で撮った画像は（図１（ｄ）参照）、個人認証時には認証処理対象画像３０として入退室管理装置２４やログイン管理装置２７から後述の認証処理装置４１に送られるものであり、この認証処理対象画像３０は、入室者や操作者が情報担体１０を持たない者であれば、顔画像は含んでも情報担体１０の画像は含まないものとなるが、入室者や操作者が情報担体１０を撮像可能に保持した認証対象者２０であれば、認証対象者２０の顔画像等と一緒に情報担体１０の情報表示面の画像も含むものとなる。
【００２６】
すなわち（図１（ｄ）参照）、認証成功の前提として、認証処理対象画像３０には、撮像装置２３，２６の前の認証対象者２０の生の顔画像３２と、情報担体１０の情報表示面の画像とが、含まれていることが必要である。後者の情報担体１０の画像は認証処理対象画像３０のうち情報担体領域内３３を占め、この情報担体領域内３３に中には、登録画像欄１１を写した顔画像３４と、コード欄１４を写したコード画像３５と、署名欄１３や１２を写した画像が、含まれている。また、前者の顔画像３２は、認証処理対象画像３０において情報担体領域内３３を外した情報担体領域外３１に含まれている。
【００２７】
個人認証システム４０は（図１（ｅ）参照）、上述した撮像装置２３，２６と、撮像装置２３で撮った認証処理対象画像３０を入退室管理装置２４から受け取って個人認証処理を行いその認否結果を入退室管理装置２４に報告するとともに撮像装置２６で撮った認証処理対象画像３０をログイン管理装置２７から受け取って個人認証処理を行いその認否結果をログイン管理装置２７に報告する認証処理装置４１と、この認証処理装置４１に内蔵された又は外付けされた記憶手段としての登録データベース４２とを具えている。
【００２８】
登録データベース４２は、ハードディスク等の大容量記憶装置に予め構築されたデータベースであり、例えば汎用的なインデックスシーケンシャルファイルを利用したものやハッシュ法で高速化したもの等からなり、認証対象者識別用のコードをキーにして対応情報を登録することと検索することとができるようになっている。そして、予め認証対象者２０になりうる多数人に対し認証対象者識別用に異なるコードが割り振られるとともに各コードに対応する生体情報が顔画像を含んだ画像データ及び／又は画像から抽出した特徴データ等で登録されているので、登録データベース４２は、個人認証時にコード検索にて対応する生体情報を得ることが迅速に行えるものとなっている。
【００２９】
認証処理装置４１は（図１（ｅ），図２参照）、ＬＡＮ等で入退室管理装置２４やログイン管理装置２７と接続されたコンピュータからなり、入退室管理装置２４やログイン管理装置２７から認証処理対象画像３０を伴った認証依頼を受けるとその画像３０に含まれたコード画像３５から認証対象者識別用のコードを読み取って登録データベース４２をコード検索しそれで得た生体情報を照合対象の登録情報とする手段（ステップＳ１０〜Ｓ１４）と、認証処理対象画像３０のうち情報担体領域内３３から顔の情報を含んだ生体情報として顔画像３４を抽出して第１現時情報とする手段（ステップＳ１５〜Ｓ１８）と、認証処理対象画像３０のうち情報担体領域外３１から顔の情報を含んだ生体情報として顔画像３２を抽出して第２現時情報とする手段（ステップＳ２１〜ＳＳ２４）と、上記の第１現時情報と登録情報との照合（ステップＳＳ１９〜Ｓ２０）に加えて上記の第２現時情報と前記登録情報との照合（ステップＳＳ２５〜Ｓ２６）も行うことにより認証対象者２０に対する認証（ステップＳ２７〜Ｓ２９）を行う手段とを具現化したプログラムがインストールされている。各手段の具体的な内容は以下の動作説明において詳述する。
【００３０】
この実施例１の個人認証システム４０について、その使用態様及び動作を、図面を引用して説明する。図１は、（ａ）が情報担体１０の情報表示面を示し、（ｂ）が情報担体１０を撮像可能な状態で保持している認証対象者２０を示し、（ｃ）が個人認証システム４０の設置先の建家を縦断面図で示し、（ｄ）が情報担体１０と一緒に認証対象者２０を撮った認証処理対象画像３０の例であり、（ｅ）が個人認証システム４０のブロック図である。また、図２のフローチャートは、認証処理装置４１の処理内容を示している。
【００３１】
顔画像を含んだ登録画像が情報表示面の登録画像欄１１に記されるとともに同じ情報表示面におけるコード欄１４に認証対象者識別用のコードが記された情報担体１０（図１（ａ）参照）を撮像可能な状態で保持した認証対象者２０（図１（ｂ）参照）が、個人認証システム４０の設置先の建屋の室外２１で出入口２２の前に来ると撮像装置２３によって認証対象者２０の上半身が撮られ、その認証処理対象画像３０（図１（ｄ）参照）と共に認証依頼が入退室管理装置２４によって認証処理装置４１に送られ（図１（ｅ）参照）、認証処理対象画像３０に対する個人認証処理が認証処理装置４１によって登録データベース４２を検索しながら実行され、その認否結果が認証処理装置４１から入退室管理装置２４に報告される。
【００３２】
また、同様の情報担体１０（図１（ａ）参照）を撮像可能な状態で保持した認証対象者２０（図１（ｂ）参照）が、個人認証システム４０の設置先の建屋の室内２５でログイン管理装置２７の前に来ると撮像装置２６によって認証対象者２０の上半身が撮られ、その認証処理対象画像３０（図１（ｄ）参照）と共に認証依頼がログイン管理装置２７によって認証処理装置４１に送られ（図１（ｅ）参照）、認証処理対象画像３０に対する個人認証処理が認証処理装置４１によって登録データベース４２を検索しながら実行され、その認否結果が認証処理装置４１からログイン管理装置２７に報告される。
【００３３】
何れの場合でも、すなわち入退室管理装置２４からの認証依頼であれログイン管理装置２７からの認証依頼であれ、認証依頼が出される度に認証処理対象画像３０に対する個人認証処理が認証処理装置４１によって以下のように行われる（図２参照）。
認証依頼が有ると（ステップＳ１０）、先ず認証処理対象画像３０に対してカラービットコードの探索が行われ、カラービットコードが見つかると、そのコード部分の画像領域が切り出されて、コード読取が実行される（ステップＳ１１）。カラービットコードが全く見つからなかったりコードが復号できなくてコード読取に失敗したときには（ステップＳ１２のＮｏ）、認証失敗とされて個人認証処理が打ち切られるが（ステップＳ２８）、コード読取が成功したときには（ステップＳ１２のＹｅｓ）、認証処理が続行される。
【００３４】
続く処理では（ステップＳ１３）、読み取れたコードが正当な認証対象者識別用のコードであるか否かを調べるために、そのコードをキーにした検索が登録データベース４２に対して行われて、そのコードに対応する登録済みの生体情報の取得が試みられ、コードが登録されていなくて検索に失敗したときには（ステップＳ１４のＮｏ）、認証失敗とされて個人認証処理が打ち切られるが（ステップＳ２８）、コード検索に成功して登録データベース４２から生体情報を取得できたときには取得した生体情報が照合対象の登録情報とされ（ステップＳ１３）、さらに認証処理が続行される（ステップＳ１４のＹｅｓ）。
【００３５】
検索に成功したコードは、登録データベース４２に登録済みの正当な認証対象者２０に予め割り振られたものであって情報担体１０のコード欄１４に記されていたのが、認証処理対象画像３０の情報担体領域内３３のコード画像３５から読み出されたものなので、その情報担体領域内３３に顔画像３４が含まれているとの想定に基づいて、次は、情報担体領域内３３の画定とそこから顔画像３４を切り出す試みがなされる（ステップＳ１５）。そして、顔画像３４の切出に失敗したときには（ステップＳ１６のＮｏ）、認証失敗とされて個人認証処理が打ち切られるが（ステップＳ２８）、顔画像３４の切出に成功したときには更に個人認証処理が続行される（ステップＳ１６のＹｅｓ）。
【００３６】
続く処理では顔画像３４から生体情報が抽出されるが（ステップＳ１７）、顔画像３４が情報担体１０の登録画像欄１１に記されていたものであるとの想定に基づいて、登録データベース４２に生体情報を登録するときに行った特徴抽出等と同じ特徴抽出等が行われる。そして、生体情報の抽出に失敗したときには（ステップＳ１８のＮｏ）、認証失敗とされて個人認証処理が打ち切られるが（ステップＳ２８）、生体情報の抽出に成功したときには抽出した生体情報が照合対象の第１現時情報とされ（ステップＳ１７）、さらに個人認証処理が続行される（ステップＳ１８のＹｅｓ）。
【００３７】
照合対象の登録情報に加えて第１現時情報が得られると、一組目の照合が可能になって、第１現時情報と登録情報とが公知手法の一致度での判別等によって照合される（ステップＳ１９）。そして、一致度が低くて照合が成立しなかったときには（ステップＳ２０のＮｏ）、情報担体１０の登録画像欄１１の顔画像が差し替えられている可能性もあるので、認証失敗とされて個人認証処理が打ち切られるが（ステップＳ２８）、第１現時情報と登録情報との一致度が高くて照合が成立したときには（ステップＳ２０のＹｅｓ）、撮像対象となった情報担体１０の登録画像欄１１に認証対象者２０の登録済み画像が正しく記されていたものとして、さらに個人認証処理が続行される。
【００３８】
続く処理では（ステップＳ２１）、コード検索にも第１現時情報の照合にも成功した情報担体１０が認証対象者２０の胸元等に保持されていて、その情報担体１０に対応する情報担体領域内３３の外側に認証対象者２０が写っているとの想定に基づいて、認証処理対象画像３０の情報担体領域外３１から生の顔画像３２を切り出す試みがなされる。そして、顔画像３２の切出に失敗したときには（ステップＳ２２のＮｏ）、認証失敗とされて個人認証処理が打ち切られるが（ステップＳ２８）、顔画像３２の切出に成功したときには更に個人認証処理が続行される（ステップＳ２２のＹｅｓ）。
【００３９】
続く処理では顔画像３２から生体情報が抽出されるが（ステップＳ２３）、この抽出でも、後述する登録情報との照合に備えて、登録データベース４２に生体情報を登録するときに行った特徴抽出等と同じ特徴抽出等が行われる。そして、生体情報の抽出に失敗したときには（ステップＳ２４のＮｏ）、認証失敗とされて個人認証処理が打ち切られるが（ステップＳ２８）、生体情報の抽出に成功したときには抽出した生体情報が照合対象の第２現時情報とされ（ステップＳ２３）、さらに個人認証処理が続行される（ステップＳ２４のＹｅｓ）。
【００４０】
照合対象の登録情報に加えて第２現時情報が得られると、二組目の照合が可能になって、第２現時情報と登録情報とが公知手法の一致度での判別等によって照合される（ステップＳ２５）。この二組目の照合では、認証対象者２０の姿勢や顔の向きが登録時と同じとは限らないので、一致度判別の閾値が一組目の照合のものより下げられるが、それでも一致度が低くて照合が成立しなかったときには（ステップＳ２６のＮｏ）、認証失敗とされて個人認証処理が打ち切られる（ステップＳ２８）。これに対し、第２現時情報と登録情報との一致度が高くて照合が成立したときには（ステップＳ２６のＹｅｓ）、撮像対象となった認証対象者２０が登録済みの本人であるとして、認証成功処理が行われる（ステップＳ２７）。
【００４１】
認証成功処理では（ステップＳ２７）、認証に成功したという認否結果と共にコードや対応する登録情報が認証処理装置４１から入退室管理装置２４に報告される。また、認証失敗処理では（ステップＳ２８）、認証に失敗したという認否結果と共にどの段階で失敗したのかといった付帯情報が認証処理装置４１から入退室管理装置２４に報告される。それから、認否結果が成功と失敗の何れの場合であっても（ステップＳ２９）、タイムスタンプや認否結果と共にコードや顔画像などが認証履歴データとして登録データベース４２か他の記憶場所に記録蓄積される。
【００４２】
認証処理装置４１による個人認証処理が済んで認証対象者２０が登録済みの本人であるか否かが判明すると、認証依頼元が入退室管理装置２４だった場合は、認証結果に応じた入退室管理が続行され、認証対象者２０が入室を許可された者であれば出入口２２の開錠が行われるが、そうでなければ出入口２２は施錠されたままである。また、認証依頼元がログイン管理装置２７だった場合は、認証結果に応じたログイン管理が続行され、認証対象者２０がログインを許可された者であればログイン管理装置２７へのログインがログインモード設定状態の応じて自動実行されたりログイン操作が許可されたりする。
【００４３】
［その他］
上記実施例では、コード読取等による認証対象者２０の認証が一つの認証処理対象画像３０について一人だけ行うようになっていたが、一つの認証処理対象画像３０について複数人を認証するようにしても良い。
また、上記実施例では、情報担体１０の情報表示面のうち登録画像欄１１とコード欄１４だけが照合の対象になっていたが、署名欄１３の署名や文字欄１２の文字も照合対象になるよう拡張しても良い。
さらに、上記実施例では、入退室管理装置２４とログイン管理装置２７が、認証処理装置４１は共用するものの管理は個別に行うようになっていたが、管理についても協働するようにしても良く、例えばログイン許可を入室者に限定するようにしても良い。
【産業上の利用可能性】
【００４４】
本発明の個人認証システムは、病棟等への入室管理や調剤管理コンピュータ等へのログイン管理に適したものの提供を目的に開発されたものであるが、それらに適用先が限定される訳ではなく、どのような分野であれ個人認証を要する分野であれば適用することができる。
【符号の説明】
【００４５】
１０…情報担体、
１１…登録画像欄、１２…文字欄、１３…署名欄、１４…コード欄、
２０…認証対象者、
２１…室外、２２…出入口、２３…撮像装置、２４…入退室管理装置、
２５…室内、２６…撮像装置、２７…ログイン管理装置、
３０…認証処理対象画像、
３１…情報担体領域外、３２…顔画像、
３３…情報担体領域内、３４…顔画像、３５…コード画像、
４０…個人認証システム、
４１…認証処理装置、４２…登録データベース（記憶手段）
【図１】
0005606382.tif 000002
【図２】
0005606382.tif 000003